【事件の表示】
　特許第３０７６６２０号「皮膚外用剤」の請求項１に係る特許に対する特許異議の申立てについて、次のとおり決定する。
【結　論】
　訂正を認める。
　特許第３０７６６２０号の請求項１に係る特許を維持する。
【理　由】
【１】手続の経緯
　
　本件特許第３０７６６２０号の請求項１に係る発明は、平成３年４月１９日に特許出願され、平成１２年６月９日にその特許権の設定登録がされ、その後、岡本員明により特許異議の申立てがされ、当審により平成１３年４月２３日付で取消理由通知がされ、その指定期間内である平成１３年７月３日に訂正請求がされたものである。
　
　
【２】訂正の適否についての判断
　
１．訂正の内容
・訂正事項ａ
　特許第３０７６６２０号明細書（以下特許明細書という）の特許請求の範囲に
「　【請求項１】　イチョウ抽出物０．０００１〜１０重量％と、パントテニルアルコール、アスコルビン酸リン酸エステルマグネシウムおよびビタミンＥからなる群から選ばれるビタミンの少なくとも１種または２種以上０．０００１〜５重量％を必須成分として含有することを特徴とする皮膚外用剤。　」
とあるのを
「　【請求項１】　イチョウ抽出物０．０００１〜１０重量％と、パントテニルアルコールおよびアスコルビン酸リン酸エステルマグネシウムから選ばれるビタミンの少なくとも１種または２種以上０．０００１〜５重量％を必須成分として含有することを特徴とする皮膚外用剤。　」
と訂正する。
・訂正事項ｂ
　特許明細書の発明の詳細な説明の【０００５】欄中に
「　これをビタミン類と　」
とあるのを
「　これをパントテニルアルコールおよびアスコルビン酸リン酸エステルマグネシウムから選ばれるビタミンと　」
と訂正する。
・訂正事項ｃ
　特許明細書の発明の詳細な説明の【０００６】欄に
「　すなわち本発明は、イチョウ抽出物及びビタミン類を必須成分として含有することを特徴とする皮膚外用剤を提供するものである。　」
を
「　すなわち本発明は、イチョウ抽出物０．０００１〜１０重量％と、パントテニルアルコールおよびアスコルビン酸リン酸エステルマグネシウムから選ばれるビタミンの少なくとも１種または２種以上０．０００１〜５重量％を必須成分として含有することを特徴とする皮膚外用剤を提供するものである。　」
と訂正する。
　
２．訂正の目的の適否、拡張・変更の存否、及び新規事項の追加の有無
　
　訂正事項ａは、請求項１でビタミン群の一として挙げられていたビタミンＥを削除するものであるから、特許請求の範囲の減縮を目的とするものである。
　訂正事項ｂ、ｃは、訂正事項ａの訂正に伴って、対応する発明の詳細な説明の記載を整合化せしめるものであるから、いずれも明りょうでない記載の釈明を目的とするものである。
　そして、これら訂正事項ａ〜ｃの訂正はいずれも、特許明細書に記載された範囲内のものであり、かつ実質上特許請求の範囲を拡張し、又は変更するものではない。
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
　
【３】特許異議の申立てについての判断
　
１．特許異議申立ての理由の概要
　
（１）特許異議申立人岡本員明（以下申立人という）は、甲第１〜５号証、資料１及び資料２を提出し、本件訂正前の請求項１に係る発明は、甲第１号証に記載された発明であるか、甲第１号証に記載された発明に基づいて当業者が容易に発明をすることができたものであり、また、甲第２〜５号証に記載された発明に基づいて当業者が容易に発明をすることができたものであるから、同請求項１の発明に係る特許は、特許法第２９条第１項第３号に該当する発明について特許されたものであるか、又は特許法第２９条第２項の規定に違反して特許されたものであり、特許法第１１３条第２号の規定により取り消されるべきものである、という旨主張する。
　
２．本件発明
　
　上記【２】に示したとおり、訂正が認められるから、本件特許の請求項１に係る発明は、訂正明細書の特許請求の範囲に記載されたとおりの、以下のものである（以下本件発明という）。
「　【請求項１】　イチョウ抽出物０．０００１〜１０重量％と、パントテニルアルコールおよびアスコルビン酸リン酸エステルマグネシウムから選ばれるビタミンの少なくとも１種または２種以上０．０００１〜５重量％を必須成分として含有することを特徴とする皮膚外用剤。　」
　
３．各甲号証及びその他の刊行物の記載
　
（１）甲第１号証（特開昭６１−４０２１０号公報）には、「通常の担体及び／または賦形剤に加えて、必須成分として投与量当たり多量のビタミンＥを含有し、そして任意成分としてビタミンＣ、ビタミンＡ、ビタミンＢ群、血液循環促進剤、血管拡張剤、リン脂質、不飽和脂肪酸および／または乳化剤を含有することもあるヒト及び動物の皮膚の治療・保護薬」について記載されており（特許請求の範囲第１項）、当該治療・保護薬が「湿疹、皮膚の発疹、皮膚の炎症、かゆみ、アレルギー、しわ、皮膚中の色素沈着、脱毛症および傷の治療用の薬として適して」おり、「紫外線光に対する保護約および育毛促進薬としても利用することができ」、「放射線にさらされる場合（例、癌患者）における皮膚の保護薬としても適している」とも記載されており（第３頁左下欄第１１〜２０行）、「・・・クリーム、ゲル、・・・または溶液の形状にて、・・・、体外に適用することもできる。この場合においては、ビタミンＥの濃度は０．５乃至２０重量％の範囲である。ただし４乃至１０重量％の範囲が特に好ましい」とも記載されている（第５頁左上欄第２〜７行）。また、ビタミンＥ活性が「血液循環促進剤の存在下において、共同作用によって著しく増大」することや、皮膚からのビタミンＥの吸収も「血液循環促進剤の存在によって特に増加する」ことも記載されており（第４頁右上欄第１３〜２０行）、該血液循環促進剤としてイチョウ（Ｇｉｎｋｇｏ）由来のフラボグリコシドが挙げられることも記載されている（第４頁右上欄第４〜７行、また例えば第３２，５４，６５例）。さらに、皮膚の治療・保護薬の例として、デクサパンテノール（本件発明におけるパントテニルアルコールと同一）を配合したものも記載されている（例えば第１例、第３例、第９例）。
　
（２）甲第２号証（特表平１−５０２９８３号公報）には、「銀杏抽出物すなわち少なくとも１種のギンコリドおよび少なくとも１種の炎症抑制剤の組み合わせにより特徴づけられている、特に抗炎症作用過程用の組み合わせ調剤」について記載されており（特許請求の範囲第１項）、炎症抑制剤として、キサンテン誘導体やアセチルサリチル酸又はその誘導体のようなＮＳＡＩＤ（非ステロイド性の抗炎症薬）、フェナックの活性物質群、プロフェン群等を採用することも記載されている（請求の範囲、第２頁左下欄〜第３頁左上欄）。
　
（３）甲第３号証（フレグランスジャーナル，(1974)2(6)　p.82-84）には、パンテノール（本件発明でいうパントテニルアルコールと同一）が、体内で吸収されるとパントテン酸に変化し、体組織、細胞組織には必須栄養素であることや、感染に対する粘膜の抵抗力を増し、特に上皮組織の新陳代謝を活発にすることが記載されている（p.82左欄＜パンテノールとは＞の項）。また、同パンテノールはスキンケア製品に用いられ、皮膚潰瘍、紅斑性狼瘡、火傷、創傷、裂創、角膜病変等に優れた効果を示すことが記載されており(p.83左欄＜スキンケアー＞の項)、またパンテノールがサンスクリーン・サンタン製品に用いられ、日光、紫外線による紅斑や日光皮膚炎丘疹等の日焼け症状の改善効果を有すること（p.83-84左欄＜サンスクリーン・サンタン製品＞）、メークアップ製品の品質向上のためのパンテノール添加量としては２〜５％が適当であることも記載されている（p.84＜その他の製品への応用＞の項）。
　
（４）甲第４号証（日本化粧品技術者会編「最新化粧品科学」−改訂増補−（昭和６３年６月６日発行）　（株）薬事日報社　p.427-428）には、アスコルビン酸−３−リン酸エステルマグネシウム塩はアスコルビン酸の安定な誘導体であり、肝斑やリール黒皮症などの後天性色素沈着症に対する臨床効果については局所投与群が内服群より優れた治験結果が得られたとの報告がある旨記載されており（p.427「5・2・4　ビタミンＣ（Ascorbic acid）」の項下から第第２〜６行）、また期待される効能・効果として、肌あれ、日やけによるしみ、そばかすを防ぐことも記載されている（p.428）
　
（５）甲第５号証(Cosmetics and Toiletries, (1987)102(11) p.99-102,104,108-110,112-116）には、ビタミンＥの炎症抑制効果について、２．０％のα−トコフェロールを含有する親水性軟膏を家兎に７日間連続投与し、次いでクロトン油を同部位に適用すると、誘導される皮膚炎の症状が有意に緩和されること、及び、膏薬による炎症、痒み、皮膚炎といった皮膚刺激性反応が、１％のα−トコフェロールを含有する軟膏により有意に抑制されることが記載されている(p.104左欄・Inhibition of Inflammationの項)。
　
（６）資料１（フレグランスジャーナル　臨時増刊Ｎｏ．６，(1986)　p.164）には、イチョウがルテオリン、クエルセチン、フラボン配糖体を主要成分とし、皮膚柔軟・粘滑・刺激緩和効果、シミ・ソバカス・シワ防止効果や保水・保湿効果等の治療・保護に係る効果を奏することが記載されている。
　
（７）資料２（日本化粧品技術者会編「最新化粧品科学」−改訂増補−（昭
和６３年６月６日発行）　（株）薬事日報社　p.426）には、Ｄ−パントテニルアルコールの期待される効能・効果（防止効果）として、肌あれ、日やけ、雪やけ、薄毛、かゆみ、脱毛の防止、が記載されている。
　
４．対比・判断
（１）特許法第２９条第１項第３号について
　本件発明と、甲第１号証に記載された発明とを比較すると、両者は皮膚外用剤であるという点で共通するものの、本件発明においては、イチョウ抽出物０．０００１〜１０重量％と、パントテニルアルコールおよびアスコルビン酸リン酸エステルマグネシウムから選ばれるビタミンの少なくとも１種または２種以上０．０００１〜５重量％を、併せて配合することを要件としているのに対し、後者はその点について記載されていない（ビタミンＥについては、上記訂正により、本件発明から削除されている）。
　よって、本件発明は、甲第１号証に記載された発明であるということはできない。
　
（２）特許法第２９条第２項について             
　
(2-1)　本件発明と甲第１号証に記載された発明の相違点は、上記したとおりである。
　申立人は特許異議申立書において、甲第１号証には、ビタミンＥと血液循環促進剤とを併用することにより良好な皮膚の治療及び保護効果が得られることが示されており、前記血液循環促進剤としてしてイチョウ（Ｇｉｎｋｇｏ）由来のフラボグリコシド（本件発明におけるイチョウ抽出物に該当することは、資料１の記載からも明らかである。以下当該フラボグリコシドを単にイチョウ抽出物という）が用いられることも記載されていること等、イチョウ抽出物とビタミンＥとを組み合わせることの容易性について主張しているが（特許異議申立書第６頁第２７〜３９行）、イチョウ抽出物に組み合わせるビタミンとしてビタミンＥを採用することは本件発明では既に削除されているから、かかる理由は既に存在しないことは明らかである。
　また、甲第１号証には、デクサパンテノール（パントテニルアルコールと同一物質と認められる）を配合する例も挙げられているものの、当該パントテニルアルコールとイチョウ抽出物を併せて配合することについては何等具体的に記載されておらず、またそうすることによりイチョウ抽出物の肌荒れ改善作用や皮膚老化防止作用においてより優れた効果が奏されることについて何等の示唆もみられない。アスコルビン酸リン酸エステルマグネシウムをイチョウ抽出物と併せて配合する点についても同様である。
　さらに、パントテニルアルコール自体、もしくはアスコルビン酸自体が、肌荒れや皮膚炎症等を改善する作用を奏することは、甲第３号証・資料２もしくは甲第４号証の記載から読みとれるものの、これらのいずれか一方又は両方をイチョウ抽出物と併せて含有せしめることにより、肌荒れ改善作用や皮膚老化防止作用において予測外の優れた効果が奏されることについて、何等の示唆もみられない。資料１の記載を参酌しても同様である。
　そして、本件発明は、特定配合割合のイチョウ抽出物に対し、これまた特定配合割合のパントテニルアルコールもしくはアスコルビン酸リン酸エステルマグネシウムを併せて配合することにより、美肌及び皮膚老化防止について、イチョウ抽出物又はパントテニルアルコール／アスコルビン酸リン酸エステルマグネシウムのいずれか一方のみを含有せしめた場合から予測し得ない、本件明細書の表４にみられるような顕著な効果を奏するものである。
　してみると、本件発明は、甲第１号証に記載された発明に基づいて当業者が容易に発明をすることができたものであるということはできないし、甲第１，３，４号証に記載された発明に基づいて当業者が容易に発明をすることができたものであるともいえない。
　
(2-2)　本件発明と甲第２号証に記載された発明とを比較すると、両者は、イチョウ抽出物を０．００１〜１０重量％の範囲内で含有し、外用剤として採用される（又は採用され得る）ものであるという点で共通する一方、前者は（イチョウ抽出物とともに）パントテニルアルコールおよびアスコルビン酸リン酸エステルマグネシウムから選ばれるビタミンの少なくとも１種または２種以上０．０００１〜５重量％を、併せて配合することを要件としているのに対し、後者はその点について記載されていない。
　かかる相違点について、申立人は特許異議申立書において、パントテニルアルコール、アスコルビン酸リン酸エステルマグネシウムもしくはビタミンＥがいずれも皮膚外用剤に汎用されるビタミン類であることは、各々順に甲第３〜５号証に記載されたとおりであるから、甲第２号証記載の発明において、前記ビタミン類の三者のいずれか１種又は２種以上を、適切な濃度範囲を検討の上併せて配合することにより、皮膚の炎症の改善効果に優れた皮膚外用剤を得ることは、当業者にとり容易に想到し得たことである旨主張している（特許異議申立書第７頁第１０〜１５行）。
　しかしながら、甲第３、４号証のいずれにも、パントテニルアルコールもしくはアスコルビン酸リン酸エステルマグネシウムをイチョウ抽出物と併せて配合することについては何等具体的に記載されていない。また、パントテニルアルコール自体、もしくはアスコルビン酸自体が、肌荒れや皮膚炎症等を改善する作用を奏することは、甲第３号証・資料２もしくは甲第４号証の記載から読みとれるものの、これらのいずれか一方又は両方をイチョウ抽出物と併せて含有せしめることにより、肌荒れ改善作用や皮膚老化防止作用において予測外の優れた効果が奏されることについて、何等の示唆もみられない。（甲第５号証はビタミンＥの炎症抑制作用について記載がみられるのみであるところ、イチョウ抽出物に組み合わせるビタミンとしてビタミンＥを採用することは本件発明では既に削除されていることは既に述べたとおりであるから、甲第５号証を採用した理由が既に存在しないことは明らかである。）資料１の記載を参酌しても同様である。
　そして、本件発明は、特定配合割合のイチョウ抽出物に対し、特定のビタミンであるパントテニルアルコールもしくはアスコルビン酸リン酸エステルマグネシウムを、特定割合で併せて配合することにより、美肌及び皮膚老化防止について、イチョウ抽出物又はパントテニルアルコール／アスコルビン酸リン酸エステルマグネシウムのいずれか一方のみを含有せしめた場合から予測し得ない、本件明細書の表４にみられるような顕著な効果を奏するものである。
　してみると、本件発明は、甲第２〜５号証に記載された発明に基づいて当業者が容易に発明をすることができたものであるということはできない。
　
５．むすび
　
　以上のとおりであるから、申立人が提示した特許異議申立ての理由及び証拠方法によっては、本件発明に係る特許を取り消すことはできない。
　また、他に本件発明の特許を取り消すべき理由を発見しない。
　よって、結論のとおりに決定する。
【異議決定日】
平成１３年９月６日（２００１．９．６）
【訂正の要旨】
訂正の要旨
・訂正事項ａ
　特許第３０７６６２０号明細書（以下特許明細書という）の特許請求の範囲に
「　【請求項１】　イチョウ抽出物０．０００１〜１０重量％と、パントテニルアルコール、アスコルビン酸リン酸エステルマグネシウムおよびビタミンＥからなる群から選ばれるビタミンの少なくとも１種または２種以上０．０００１〜５重量％を必須成分として含有することを特徴とする皮膚外用剤。　」
とあるのを、特許請求の範囲の減縮を目的として
「　【請求項１】　イチョウ抽出物０．０００１〜１０重量％と、パントテニルアルコールおよびアスコルビン酸リン酸エステルマグネシウムから選ばれるビタミンの少なくとも１種または２種以上０．０００１〜５重量％を必須成分として含有することを特徴とする皮膚外用剤。　」
と訂正し、
・訂正事項ｂ
　　特許明細書の発明の詳細な説明の【０００５】欄中に
「　これをビタミン類と　」
とあるのを、明りょうでない記載の釈明を目的として
「　これをパントテニルアルコールおよびアスコルビン酸リン酸エステルマグネシウムから選ばれるビタミンと　」
と訂正し、
・訂正事項ｃ
　特許明細書の発明の詳細な説明の【０００６】欄中に
「　すなわち本発明は、イチョウ抽出物及びビタミン類を必須成分として含有することを特徴とする皮膚外用剤を提供するものである。　」
とあるのを、明りょうでない記載の釈明を目的として、
「　すなわち本発明は、イチョウ抽出物０．０００１〜１０重量％と、パントテニルアルコールおよびアスコルビン酸リン酸エステルマグネシウムから選ばれるビタミンの少なくとも１種または２種以上０．０００１〜５重量％を必須成分として含有することを特徴とする皮膚外用剤を提供するものである。　」
と訂正するものである。
（５４）【発明の名称】
皮膚外用剤
（５７）【特許請求の範囲】
　【請求項１】　イチョウ抽出物０．０００１〜１０重量％と、パントテニルアルコールおよびアスコルビン酸リン酸エステルマグネシウムから選ばれるビタミンの少なくとも１種または２種以上０．０００１〜５重量％を必須成分として含有することを特徴とする皮膚外用剤。
【発明の詳細な説明】
　【０００１】
　【産業上の利用分野】
　本発明は、化粧品、医薬品等の皮膚外用剤に関し、更に詳細には、イチョウ抽出物及びビタミン類を必須成分として含有し、肌荒れ改善作用、ヒビ、アカギレ等の創傷治癒促進作用、皮膚老化防止作用等を有する皮膚外用剤に関する。
　【０００２】
　【従来の技術】
　従来、肌荒れ改善や、皮膚の老化防止のために用いられてきた薬効成分としては、アラントイン、アロエ抽出物、人参抽出物、胎盤抽出物、牛血液除蛋白物、発酵代謝物等が知られている。しかしながら、これらの薬効成分を含む皮膚外用剤では十分な効果を得ることができず、より優れた作用を有する皮膚外用剤の開発が望まれていた。
　【０００３】
　一方、最近、保湿作用、シミ、ソバカス防止作用、しわ防止作用、皮膚の柔軟作用（フレグランス　ジャーナル　臨時増刊　Ｎｏ．６　Ｐ．１６１、Ｐ２９７（１９８６））、酸化防止作用（日本薬剤師会雑誌　３９（１２）１０９７（１９８７））、血行促進作用、賦活活性作用（特開平１−１１７８１６号）等を有するものとして、イチョウ抽出物が注目されている。
　【０００４】
　【発明が解決しようとする課題】
　しかしながら、イチョウ抽出物を単独に配合した場合の肌荒れ改善や皮膚老化防止に対する効果は十分なものとはいえず、また他の基材等の影響により、効果が安定に得られないのが実情であった。　さらに、より高い効果を得ることを目的にイチョウ抽出物を高濃度で配合してもその作用には限界があり、逆に、イチョウ抽出物自体の有する特有の色やにおいが組成物を調製するうえで問題となることもあった。
　【０００５】
　【課題を解決するための手段】
　本発明者らは、上記実情に鑑み、イチョウ抽出物の有する前記作用を効果的に利用すべく鋭意研究を行った結果、これをパントテニルアルコールおよびアスコルビン酸リン酸エステルマグネシウムから選ばれるビタミンと組み合わせることによりその効果が安定且つ相乗的に発揮されること、及びこれら両成分を皮膚外用剤に配合すれば、優れた肌荒れ改善作用や肌の老化防止作用が得られることを見いだし、本発明を完成した。
　【０００６】
　すなわち本発明は、イチョウ抽出物０．０００１〜１０重量％と、パントテニルアルコールおよびアスコルビン酸リン酸エステルマグネシウムから選ばれるビタミンの少なくとも１種または２種以上０．０００１〜５重量％を必須成分として含有することを特徴とする皮膚外用剤を提供するものである。
　【０００７】
　本発明において必須成分として使用されるイチョウ抽出物は、イチョウ（Ｇｉｎｋｇｏ　ｂｉｌｏｂａ　Ｌ．）の葉、花、枝、果実などから抽出されて得られるものである。抽出方法は特に限定されず、例えば、抽出溶媒として水、メチルアルコール、エチルアルコール等の１級アルコール、プロピレングリコール、１，３−ブチレングリコール等の液状多価アルコール、酢酸エチルエステル等の低級アルキルエステル、ベンゼン、ヘキサン等の炭化水素、エチルエーテル、アセトン等の公知の溶媒を用いる方法が採用され、これら溶媒は一種または二種以上を組合せて使用することができる。就中、好ましい抽出溶媒としては、水と混和する有機溶媒の水溶液、特に、エチルアルコール、メチルアルコール、アセトン等の水溶液が挙げられる。
　【０００８】
　イチョウ抽出物としては、イチョウの葉、花、枝、果実等の原料を上記抽出溶媒に浸漬し、これを室温で、または加温下抽出し、濾過して得られた抽出液をそのまま用いても良いが、更に必要により濃縮したものを用いても良い。また、これらの抽出物を精製して用いることもできる。
　【０００９】
　本発明の皮膚外用剤におけるイチョウ抽出物の含有量は、好ましくは乾燥固形分として０．０００１〜１０重量％（以下単に「％」で示す）であり、より好ましくは０．０１〜５％である。抽出液を使用する場合は、溶質である乾燥固形分の含有量が上記範囲内であれば、その抽出液濃度等は何ら限定されるものではない。
　【００１０】
　イチョウ抽出物の含有量が０．０００１％より少ないと十分な効果が得られないことがあり、また、１０％を越えて配合してもそれ以上の効果の増大は見られず、かえって着色、臭いの発生や、剤型によっては沈澱が生じる等、製品面での問題が生じる場合がある。
　【００１１】
　一方、本発明の他の必須成分であるビタミン類としては、レチノール、レチナール、ビタミンＡ１酸などのビタミンＡ類およびそれらの誘導体；チアミンなどのビタミンＢ１類およびそれらの誘導体；リボフラビン、フラビンモノヌクレオチド、フラビンアデニンジヌクレオチドなどのビタミンＢ２類およびそれらの誘導体；ピリドキシン、ピリドキサール、ピリドキサミンなどのビタミンＢ６類およびそれらの誘導体；シアノコバラミン、メチルコバラミンなどのビタミンＢ１２類およびそれらの誘導体；パントテニルアルコール、パントテン酸、パンチチンなどのパントテン酸およびそれらの誘導体；ビオチンなどのビオチン類およびそれらの誘導体；アスコルビン酸などのビタミンＣ類およびそれらの誘導体；エルゴカルシフェロール、コレカルシフェロール、ジヒドロタキステロールなどのビタミンＤ類およびそれらの誘導体；トコフェロールなどのビタミンＥ類およびそれらの誘導体；ニコチン酸およびそれらの誘導体、ユビキノン類およびそれらの誘導体；プテロイルグルタミン酸などの葉酸およびそれらの誘導体等が挙げられる。　このうち好ましいものとしては、ビタミンＡ類およびそれらの誘導体、ビタミンＢ６類およびそれらの誘導体、パントテン酸およびそれらの誘導体、ビタミンＣ類およびそれらの誘導体、ビタミンＥ類およびそれらの誘導体、ニコチン酸およびそれらの誘導体等が挙げられる。
　【００１２】
　これらビタミン類の本発明皮膚外用剤中の含有量は、一般には０．０００１〜５％、好ましくは０．００１〜３％である。　ビタミン類の含有量が０．０００１％より少ない場合は、十分な効果が得られないことがあり、また、５％を超えて配合しても効果がほぼ一定となり、その増大は見られない。
　【００１３】
　本発明の皮膚外用剤は、常法に従い、必須成分であるイチョウ抽出物及びビタミン類の一種あるいは二種以上とを通常の皮膚外用剤として知られる種々の形態の基剤に配合して調製することができる。
　【００１４】
　皮膚外用剤の形態の例としては、特に限定されず、例えば、乳液、クリーム、化粧水、パック、分散液、洗浄料等の化粧品や、軟膏剤、クリーム剤、外用液剤等の医薬品などとすることができ、外用剤の基材としては、これら外用剤の形態に応じた基材、例えば、精製水、低級アルコール類、多価アルコール類、油脂類、界面活性剤、各種美容成分、紫外線吸収剤、増粘剤、色素、防腐剤、香料等を用いることができる。
　【００１５】
　本発明の皮膚外用剤の適用量は、特に限定されるものではないが、一般的には皮膚５ｃｍ四方あたり０．１〜１ｇ程度用いればよい。
　【００１６】
　【実施例】
　次に、実施例を挙げ本発明を更に詳しく説明するが、本発明はこれらになんら制約されるものではない。
　【００１７】
　実施例　１
　　　乳　　液：
　表１に示す組成および下記製法で乳液を調製し、下記方法でその肌荒れ改善作用を調べた。　この結果を表２に示す。
　【００１８】
（組　成）
　＊イチョウ葉１０部に５０Ｖ／Ｖ％エチルアルコール５０部を加え、室温で３日間抽出した後、濾過したもの。固形分として約４．５％含む。
　【００１９】
（製　法）
　Ａ．成分（６）、（７）、（１０）及び（１４）を加熱混合し、７０℃に保つ。
　Ｂ．成分（１）〜（５）、（８）、（９）、（１１）及び（１２）を加熱混合し、７０℃に保つ。
　Ｃ．上記Ｂを先のＡに加えて混合し、成分（１３）を加えて均一に乳化し、３０℃まで冷却して乳液を得る。
　【００２０】
（試験方法）
　２３〜３０才の女性３０名をパネルとし、スキーに行く前日の肌状態をミクロスコープカメラで観察し、下記基準によりそのスコアを求めた。スキーから帰って１日だった後にも同様に肌状態のスコアを求めた。更にその後は、７日間にわたって毎日、朝と夜の２回洗顔後に被験乳液を塗布した。そして、スキーの３、５および７日後に前記と同様肌状態のスコアを求めた。
　【００２１】
　肌状態スコア：
　［スコア］　［状　態］
　　１　　　肌の皮溝が不鮮明であり、角質のはがれが認められる。
　　２　　　肌の皮溝がやや不鮮明であるかまたは一方向性が強い。
　　３　　　肌の皮溝は認められるが、浅いかまたは一方向性が強い。
　　４　　　肌の皮溝が認められるかまたはやや網目状である。
　　５　　　肌の皮溝がはっきり認められるかまたはきれいな網目状である。
　【００２２】
（結　果）
　
　【００２３】
　表２の結果から明らかな如く、イチョウ抽出物とビタミンＥを組合せた本発明品１及びイチョウ抽出物とビタミンＡパルミテートを組合せた本発明品２は、それぞれを単独で配合した比較品１〜３及びこれらを含まない比較品４と比べ、顕著な肌荒れ改善効果を示すものであった。
　【００２４】
　実施例　２
　　　クリーム：
　表３に示す組成および下記製法でクリームを調製し、その美肌効果および皮膚老化防止効果を調べた。この結果を表４に示す。
　【００２５】
（組成）
　＊　イチョウ葉１０部に９０Ｖ／Ｖ％エタノール９０部を加え、６０℃で３時間抽出したものを濾過し、減圧乾燥したもの
　【００２６】
（製　法）
　Ａ．成分（１）〜（７）、（１１）および（１２）を混合し、加熱して７０℃に保つ。
　Ｂ．成分（８）〜（１０）および（１３）を混合し、加熱して７０℃に保つ。
　Ｃ．ＡにＢを加え、混合した後、冷却してクリームを得た。
　【００２７】
（試験方法）
　２６〜５２才の女性１５名をパネルとし、毎日朝と夜の２回、１２週間にわたって洗顔後に被験クリームの適量を顔面に塗布した。　塗布による美肌および皮膚老化防止効果を下の基準によって評価した。
　【００２８】
　美肌効果：
　　［評　価］　　　［　内　　　容　］
　　　有　　効　　肌のくすみが目立たなくなった。
　　　やや有効　　肌のくすみがあまり目立たなくなった。
　　　無　　効　　使用前と変化なし。
　【００２９】
　皮膚老化防止効果：
　　［評　価］　　　［　内　　　容　］
　　　有　　効　　肌のはり、つやが改善された。
　　　やや有効　　肌のはり、つやがやや改善された。
　　　無　　効　　使用前と変化なし。
　【００３０】
（結　果）
　表４の結果より明らかな如く、本発明品１及び２のクリームは肌の「つや」や「はり」の喪失、「くすみ」等の皮膚の老化現象の防止、改善に有効であった。
　【００３１】
　実施例　３
　　　化　粧　水：
　　　＜処方＞　　　　　　　　　　　　　　　　　　　　（％）
　（１）グリセリン　　　　　　　　　　　　　　　　　　５．０
　（２）１，３−ブチレングリコール　　　　　　　　　　６．５
　（３）ポリオキシエチレンソルビタン　　　　　　　　　１．２
　　　モノラウリン酸エステル（２０Ｅ．Ｏ．）
　（４）エチルアルコール　　　　　　　　　　　　　　　８．０
　（５）イチョウ抽出物＊　　　　　　　　　　　　　　　１．０
　（６）アスコルビン酸硫酸エステル　　　　　　　　　　０．５
　（７）防　腐　剤　　　　　　　　　　　　　　　　　　適　量
　（８）香　　　料　　　　　　　　　　　　　　　　　　適　量
　（９）精　製　水　　　　　　　　　　　　　　　　　　残　量
　＊　イチョウ葉１０部に５０Ｖ／Ｖ％１，３−ブチレングリコール９０部を加え、４０℃で一夜抽出し、濾過して得る。
　【００３２】
（製　法）
　Ａ．成分（３）、（４）、（７）及び（８）を混合溶解する。
　Ｂ．成分（１）、（２）、（５）、（６）及び（９）を混合溶解する。
　Ｃ．上記ＡとＢを混合して均一とし、化粧水を得た。
　【００３３】
　実施例　４
　　　パ　ッ　ク：
　　　＜処方＞　　　　　　　　　　　　　　　　　　　　（％）
　（１）ポリビニルアルコール　　　　　　　　　　　　２０．０
　（２）エタノール　　　　　　　　　　　　　　　　　２０．０
　（３）グリセリン　　　　　　　　　　　　　　　　　　５．０
　（４）カオリン　　　　　　　　　　　　　　　　　　　６．０
　（５）イチョウ抽出物＊　　　　　　　　　　　　　　　０．０５
　（６）ビタミンＥアセテート　　　　　　　　　　　　　０．０１
　（７）防　腐　剤　　　　　　　　　　　　　　　　　　０．２
　（８）香　　　料　　　　　　　　　　　　　　　　　　０．０５
　（９）精　製　水　　　　　　　　　　　　　　　　　　残　量
　＊　実施例１に同じ。
　【００３４】
（製法）
　Ａ．成分（１）、（３）〜（６）及び（９）を混合し、７０℃に加熱し、撹拌する。
　Ｂ．成分（２）、（７）及び（８）を混合する。
　Ｃ．上記Ｂを先のＡに加え、混合した後、冷却してパックを得た。
　【００３５】
　実施例　５
　　　洗　浄　料：
　　　＜処方＞　　　　　　　　　　　　　　　　　　　（％）
　（１）ステアリン酸　　　　　　　　　　　　　　　　１０．０
　（２）パルミチン酸　　　　　　　　　　　　　　　　　８．０
　（３）ミリスチン酸　　　　　　　　　　　　　　　　１２．０
　（４）ラウリン酸　　　　　　　　　　　　　　　　　　４．０
　（５）オレイルアルコール　　　　　　　　　　　　　　１．５
　（６）精製ラノリン　　　　　　　　　　　　　　　　　１．０
　（７）香　　　料　　　　　　　　　　　　　　　　　　０．１
　（８）防　腐　剤　　　　　　　　　　　　　　　　　　０．２
　（９）グリセリン　　　　　　　　　　　　　　　　　１８．０
（１０）水酸化カリウム　　　　　　　　　　　　　　　　６．０
（１１）イチョウ抽出物＊　　　　　　　　　　　　　　　０．５
（１２）ビタミンＢ６塩酸塩　　　　　　　　　　　　　　０．０５
（１３）精　製　水　　　　　　　　　　　　　　　　　　残　量
　＊　実施例３に同じ。
　【００３６】
（製　法）
　Ａ．成分（９）、（１０）及び（１３）を混合し、７０℃に加熱する。
　Ｂ．成分（１）〜（６）及び（８）を混合し、７０℃に加熱する。
　Ｃ．上記Ｂを先のＡに加え、暫く７０℃に保ち、けん化反応が終了後、５０℃まで冷却し、成分（７）、（１１）及び（１２）を加え、冷却して洗浄料を得た。
　【００３７】
　実施例　６
　　　ゲル軟膏：
　　　＜処方＞　　　　　　　　　　　　　　　　　　　　　（％）
　（１）カルボキシビニルポリマー　　　　　　　　　　　１．０
　（２）トリエタノールアミン　　　　　　　　　　　　　１．０
　（３）１，３−ブチレングリコール　　　　　　　　　１０．０
　（４）イチョウ抽出物＊　　　　　　　　　　　　　　　０．０１
　（５）フラビンアデニンジヌクレオチド（ＦＡＤ）　　　０．０２
　（６）精　製　水　　　　　　　　　　　　　　　　　残　量
　＊　実施例２に同じ
　【００３８】
　　　＜製　法＞
　Ａ．成分（１）及び（３）〜（６）を混合溶解する。
　Ｂ．Ａに成分（２）を加え、混合して均一にし、ゲル軟膏を得た。
　【００３９】
　【発明の効果】
　本発明により、肌荒れ改善作用及び老化防止作用に対する優れた効果を有し、かつ安定した作用効果の得られる有効な皮膚外用剤の提供が可能となった。